(57)【要約】【課題】光ディスク装置のデータ処理の高速化のためには、ＲＡＭの動作速度を上げる必要があるが、ＲＡＭは通常の論理回路に比べて高速化が難しい。本発明の目的は、ＲＡＭの動作周波数をなるべく低く抑えつつ、高速データ処理を行う光ディスク装置を実現することにある。【解決手段】ＣＤの記録・再生データの高速処理を行う際に、誤り訂正等の処理用のバッファとしてＲＡＭ３１，３２，…を複数個用い、インターフェース回路２は、アクセス制御回路１の制御に応じてそのセレクタ５，６により複数個のＲＡＭ３１，３２，…の入，出力をそれぞれ切り替えることで、交互にかつ特定容量分連続してアクセスを行い、ｎ（複数）個のＲＡＭの入出力を統合して一つのＲＡＭであるかのように見せることで、ＲＡＭの動作周波数を他のロジック部の１／ｎに逓減することを可能にした。【選択図】      図１
2004335016.tif 000002
【特許請求の範囲】
【請求項１】
光ディスクに記録すべきデータのエンコード処理または光ディスクに記録されたデータのデコード処理の少なくとも一方のデータ処理を行う光ディスク装置において、
前記少なくとも一方の処理を行う際に当該データ処理の処理バッファとして使用する複数の記憶手段と、
該複数の記憶手段を一つの記憶手段と見なせるように当該複数の記憶手段の入，出力データをそれぞれ統合する入出力インターフェース回路と、
前記複数の記憶手段に交互にかつ特定容量分連続してデータをアクセスするように前記入出力インターフェース回路を制御するアクセス制御回路とを備えた、
ことを特徴とする光ディスク装置。
【請求項２】
請求項１記載の光ディスク装置において、
前記アクセス制御回路は、前記複数の記憶手段のうち、いずれか一つの記憶手段に連続してアクセスしないようにアクセス制御を行う、
ことを特徴とする光ディスク装置。
【請求項３】
請求項１記載の光ディスク装置において、
前記アクセス制御回路は、前記記憶手段にランダムアクセスを行うことを可能とするようにアクセス制御を行う、
ことを特徴とする光ディスク装置。
【請求項４】
請求項１記載の光ディスク装置において、
前記の複数個の記憶手段は、当該記憶手段の入，出力データを処理する回路の動作クロックを分周した分周クロックで動作する、
ことを特徴とする光ディスク装置。
【発明の詳細な説明】
【０００１】
【発明の属する技術分野】
本発明は、光ディスク装置に関し、特に、ＣＤ（コンパクトディスク）規格に則ったデータの処理を行う技術の改良を図ったものに関する。
【０００２】
【従来の技術】
ＣＤ−ＲＯＭドライブ等のＣＤ再生装置や、ＣＤ−Ｒドライブ，ＣＤ−ＲＷドライブ等のＣＤ記録・再生装置では、記録・再生データの誤り訂正処理およびインターリーブ処理用のバッファとして、ＲＡＭ（ランダムアクセスメモリ）を用いるのが一般的である（例えば、特許文献１参照）。
【０００３】
図３はこの種の従来のＣＤ−ＲＯＭシステムの構成を示すブロック図であり、特許文献１の図３を転載したものである。
図３において、コンパクトディスクに照射されたレーザ光の反射光を取り込むＣＤピックアップ１０１は、コンパクトディスクに書き込まれたデジタルデータを読み取って、ＣＤフォーマット等の所定のフォーマットに準じたデジタルデータをシリアルに出力する。デジタル信号処理回路１０２は、ＣＤピックアップ１０１から入力されるデジタルデータに対してＣＤフォーマットに基づいた信号処理を施し、ＣＤ−ＲＯＭデータをＣＤ−ＲＯＭデコーダ１０３に入力する。デジタル信号処理回路１０２の信号処理においては、デジタルオーディオ用のＣＤシステムとの互換性が保たれており、１４ビットで構成されるデジタルデータの８ビットへの復調や、リード・ソロモン符号に基づく符号誤りの検出等が行われる。
【０００４】
デジタル信号処理回路１０２から出力されるＣＤ−ＲＯＭデータは２４バイト×９８フレームの合計２３５２バイトを１ブロックとして構成され、同期信号（１２バイト）、ヘッダ（４バイト）、ユーザデータ（２０４８バイト）、誤り検出符号ＥＤＣ（４ビット）、および誤り訂正符号ＥＣＣ（２７６バイト）がそれぞれ割り当てられている。ＣＤ−ＲＯＭデータの場合、１ブロックのデータのうち、同期信号１２バイトを除いた２３４０バイトにはスクランブル処理が施されており、再生時にディスクランブル処理が施されて元のデータに戻る。
【０００５】
ＣＤ−ＲＯＭデコーダ１０３は、デジタル信号処理回路１０２からのデータを受け取るＤＳＰインターフェース部１０４と、デジタル信号処理回路１０２からＣＤ−ＲＯＭデータの符号誤りを検出、訂正するエラー訂正部１０５と、所定の処理が完了したＣＤ−ＲＯＭデータをホストコンピュータへ送り出すホストインターフェース１０６とからなり、各部の動作が制御マイコン１０７によって制御されるように構成されている。
【０００６】
ＤＳＰインターフェース１０４は、デジタル信号処理回路１０２とのインターフェースを成すとともに、取り込んだＣＤ−ＲＯＭデータを元のデータに戻した後に、このＣＤ−ＲＯＭデータをＣＤ−ＲＯＭデコーダ１０３に接続されたバッファＲＡＭ１０８に書き込む。エラー訂正部１０５は、ＤＳＰインターフェース１０４からバッファＲＡＭ１０８に書き込まれたＣＤ−ＲＯＭデータを１ブロック（９８フレーム）毎に取り込み、誤り検出符号ＥＤＣ及び誤り訂正符号ＥＣＣに基づく訂正処理を行い、バッファＲＡＭ１０８に記憶されたデータの内、誤りのあるデータについてはこれを訂正処理された正しいデータに書き替える。そして、ホストインターフェース１０６は、エラー訂正部１０５からバッファＲＡＭ１０８に書き込まれたＣＤ−ＲＯＭデータを読み出してホストコンピュータに出力すると共に、ホストコンピュータからの各種コマンドを取り込み、制御マイコン１０７に与える。
【０００７】
制御マイコン１０７は、ＲＯＭ及びＲＡＭを内蔵した、いわゆるワンチップマイコンによって構成され、ＲＯＭに記憶された制御プログラムに従ってＣＤ−ＲＯＭデコーダ１０３の動作を制御すると共に、パソコン等のホストコンピュータからホストインターフェースを通して入力されるコマンドデータあるいはデジタル信号処理回路１０２からＣＤ−ＲＯＭデータとは別に入力されるサブコードデータを一旦ＲＡＭに記憶する。これにより制御マイコン１０７は、ホストコンピュータからの指示に応答してＣＤ−ＲＯＭデコーダ１０３を動作させると共に、サブコードデータを９８フレーム毎に所定のフォーマットに整えてホストインターフェース１０６からホストコンピュータに送出する。
【０００８】
【特許文献１】
特許第３１５２５２５号公報（第３−４頁、図３）
【０００９】
【発明が解決しようとする課題】
従来の光ディスク再生装置は以上のように構成されており、ＣＤピックアップにより得られたデジタル信号を処理して、コンパクトディスクに記録された信号を処理することができる。
【００１０】
ところで、ＣＤ−ＲドライブやＣＤ−ＲＷドライブ等のＣＤ（コンパクトディスク）記録・再生装置においては、その記録・再生速度を向上するために、音楽ＣＤの再生速度を基準とする標準回転数の高倍速での記録・再生が行われるが、これに対応してＣＤに記録すべきデータのエンコード処理およびＣＤに記録されたデータのデコード処理の高速化を推進する必要がある。
【００１１】
このような、ＣＤ規格に則ってインターリーブ，パリティ生成等の信号処理が行われるデータに対し、そのデータ処理の高速化を推進するには、ＲＡＭの動作速度を上げる必要があるが、ＲＡＭは通常の論理回路に比べてその高速化が難しい。
【００１２】
即ち、ＬＳＩの実装を行う際に、ロジック部の高速化は比較的容易であるが、ＲＡＭおよびＲＡＭとロジックとの接続部の高速化は困難であり、この部分がデータ処理の高速化を図る上でのボトルネックになることがある。
【００１３】
本発明は、上記のような従来のものの問題点に鑑みてなされたもので、ＲＡＭの動作周波数をなるべく低く抑えつつ、データ処理の高速化を実現できる光ディスク装置を得ることにある。
【００１４】
【課題を解決するための手段】
本発明の請求項１に係る光ディスク装置は、光ディスクに記録すべきデータのエンコード処理または光ディスクに記録されたデータのデコード処理の少なくとも一方のデータ処理を行う光ディスク装置において、前記少なくとも一方のデータ処理を行う際に当該データ処理の処理バッファとして使用する複数の記憶手段と、該複数の記憶手段を一つの記憶手段と見なせるように当該複数の記憶手段の入，出力データをそれぞれ統合する入出力インターフェース回路と、前記複数の記憶手段に交互にかつ特定容量分連続してデータをアクセスするように前記入出力インターフェース回路を制御するアクセス制御回路とを備えた、ことを特徴とするものである。
【００１５】
また、本発明の請求項２に係る光ディスク装置は、請求項１記載の光ディスク装置において、前記アクセス制御回路は、前記複数の記憶手段のうち、いずれか一つの記憶手段に連続してアクセスしないようにアクセス制御を行う、ことを特徴とするものである。
【００１６】
また、本発明の請求項３に係る光ディスク装置は、請求項１記載の光ディスク装置において、前記アクセス制御回路は、前記記憶手段にランダムアクセスを行うことを可能とするようにアクセス制御を行う、ことを特徴とするものである。
【００１７】
また、本発明の請求項４に係る光ディスク装置は、請求項１記載の光ディスク装置において、前記の複数個の記憶手段は、当該記憶手段の入，出力データを処理する回路の動作クロックを分周した分周クロックで動作する、ことを特徴とするものである。
【００１８】
【発明の実施の形態】
（実施の形態１）
以下、本発明の実施の形態について、図面を参照して説明する。
この実施の形態１は、ＲＡＭの動作クロックを、ロジック部の動作クロックに同期しかつその周波数をこれを分周したものとし、ロジック部からの信号を複数のＲＡＭに切り替えて供給することにより、ＲＡＭの動作周波数をロジック部の動作周波数の半分以下に抑えることを可能にしたものである。
【００１９】
図１に、本発明の実施の形態１による光ディスク装置の主要部分の概略構成図を示す。
この図１に示す光ディスク装置の主要部分は、アクセス制御回路１と、インターフェース回路２と、複数個のＲＡＭ３１，３２，…から成る記憶手段３とに大別される。
【００２０】
アクセス制御回路１は、これを内蔵するエンコーダ２３の本体２３ａから入力データバス８を介して入力される制御信号をデコードもしくは変換し、エンコーダ２３から入力されるデータを複数個のＲＡＭ３１，３２，…のうち、どのＲＡＭにアクセスすべきかを判定して、インターフェース回路２の制御信号を生成する。
【００２１】
アクセス制御回路１は、複数個のＲＡＭ３１，３２，…に交互にかつ特定容量分連続でアクセスするように制御するモードと、それぞれのＲＡＭにランダムにアクセスするように制御するモードとの、２種類の制御が可能である。これは、読み出し専用のＣＤと互換性を有する記録可能なＣＤの規格上、信号処理のフェーズによってＲＡＭへの連続アクセスを行う場合と、ランダムアクセスを行う場合とが存在するのがその理由である。例えば、パリティの生成フェーズでは、信号を特定容量分連続で読み出しを行うが、パリティ書き込みフェーズでは、ランダムアクセスを行うため、これら２種類の制御を必要とするのがその理由である。
【００２２】
複数個のＲＡＭに特定容量分連続でアクセスするように制御するモードでは、例えば、４バイト連続で２個のＲＡＭにアクセスする場合、ＲＡＭ１  ３１→ＲＡＭ２  ３２→ＲＡＭ１  ３１→ＲＡＭ２  ３２…の順で１バイトずつアクセスを行う。連続アクセスを行うデータ量、使用するＲＡＭの数、ＲＡＭへのアクセス順序などは可変とするが、同じＲＡＭに連続してアクセスすることのないように制御信号の生成を行う。これに対し、ＲＡＭにランダムにアクセスするように制御するモードでは、連続アクセスを行うデータ量や、ＲＡＭへのアクセス順序に対する制御を行わない。
【００２３】
なお、この光ディスクの書き込みを行う光ディスク装置のアクセス制御回路１は、図３の従来例のＣＤ−ＲＯＭシステムにおいてはＤＳＰインタフェース１０４の一部に相当する。
【００２４】
インターフェース回路２は、データバッファ４と、上記アクセス制御回路１によって生成された制御信号によって制御されるセレクタ５，６，７とを持ち、複数個のＲＡＭの切り替えを行う。
【００２５】
データバッファ４は、複数個のＲＡＭに交互にかつ特定容量分連続でアクセスするように制御を行う上で、データを一時的に保持する必要が生じた時に使用する。データバッファ４に一時的にデータを蓄えるか否かの判断および制御は、アクセス制御回路１がこれを行う。
【００２６】
セレクタ７はアクセス制御回路１からの制御信号に応じて入力されるデータとデータバッファ４にて保持されたデータ信号とを切り替えてセレクタ５に出力する。セレクタ５はアクセス制御回路１からの制御信号に応じてＲＡＭ１  ３１，ＲＡＭ２  ３２，…，に対応する入力信号線１０，１２，…，のいずれか１つを選択して、セレクタ７の出力信号を出力する。
【００２７】
また、セレクタ５，６は互いに連動しており、セレクタ６はアクセス制御回路１からの制御信号に応じて、ＲＡＭ１  ３１，ＲＡＭ２  ３２…，に対応する出力信号線１１，１３，…，の中からセレクタ５が選択したものと同じＲＡＭの出力信号線を１つ選択して、ＲＡＭ１  ３１，ＲＡＭ２  ３２…，に記憶された制御信号をインターフェース回路２の出力信号９として出力する。
【００２８】
このように、データバッファ４の制御、データバッファ４の出力信号、およびインターフェース回路２の出力信号のセレクト制御は、上記アクセス制御回路１が出力する制御信号によって行う。
【００２９】
記憶手段３は、複数個のＲＡＭ３１，３２，…，から成り、記憶手段３の入出力データを処理する回路の動作クロックを分周しこれに同期したクロックで動作する。
【００３０】
エンコーダ２３は記憶手段３に入，出力するデータを処理するもので、記録可能なＣＤに記録すべきデータをエンコードする。
制御マイコン２４はエンコーダ本体２３ａを制御するワンチップマイコンである。
【００３１】
デジタル信号処理回路２２はエンコーダ２３からの８ビットデータをＣＤへの記録に適した１４ビットのデータに変換する信号処理を行う回路である。
光ピックアップ２１はこの１４ビットのデータのビットパターンに応じてそのビームの強弱を変化させたレーザ光を記録可能なＣＤに照射する。
【００３２】
次に動作について説明する。図１の光ディスク装置において、アクセス制御回路１およびインターフェース回路２は、ＣＤ−Ｒ，ＣＤ−ＲＷ等の記録可能なＣＤに対しＣＤ規格に則って情報の記録が可能なように記録すべきデータをエンコードするエンコーダ２３の一部をなすもので、このエンコーダ２３の本体２３ａによって記録すべきデータに対するパリティの生成やスクランブル処理等が行われる。そして、このエンコーダ２３によって生成された８ビットのデータが信号処理回路２２によってＣＤへの記録に適した１４ビットのデータに変換され、これが光ピックアップ２１に出力されて、記録可能なＣＤに対しそのデータに応じて反射率が変化するように、レーザービームの照射強度を変化させることでその記録を行う。
【００３３】
そしてそのパリティの生成やスクランブル処理等を行う際に、エンコーダ本体２３ａは入力側データバス８を介してインターフェース回路２にデータを入力する。インターフェース回路２は記憶手段３を構成する複数のＲＡＭ３１，３２，…（複数の記憶手段）にデータを切り替えてその入，出力を行うことで、これら複数のＲＡＭ３１，３２，…を外部から見たときに見かけ上１つの記憶手段に見せるようにその入，出力を統合する。
【００３４】
即ち、入力側データバス８を介してインターフェース回路２に入力されたデータは、セレクタ７により直接もしくはバッファ４を介してセレクタ５に入力される。セレクタ５はこのデータを記憶手段３を構成するＲＡＭ３１，３２，…のいずれか１つを選択してこれに入力する。そして、セレクタ６はこのデータを記憶させたＲＡＭを選択しこのＲＡＭからデータを読み出し出力側データバス９を介してエンコーダ本体２３ａにデータを出力することで、エンコーダ本体２３ａはこのＲＡＭ３１，３２，…をパリティ生成やデータのスクランブルを行う際のバッファとして用いることができる。
【００３５】
その際、記憶手段３を構成するＲＡＭ３１，３２，…は、エンコーダ等、記憶手段以外のロジック部が使用しているクロックと同期しかつこれを分周したクロックで動作しており、セレクタ５はアクセス制御回路１の制御によりこれを通過するｎバイト（ｎは記憶手段を構成するＲＡＭの個数を示す２以上の整数）のデータを１バイトずつｎ個のＲＡＭに順次振り分けるので、ｎ個のＲＡＭは記憶手段３以外の部分が使用しているクロックをｎ分周したクロックで動作してそれぞれに到着した１バイトのデータを記憶することが可能となる。これにより記憶手段３は、別途バッファ等を設けることなくロジック部の１／ｎの動作周波数でエンコーダ２３からのデータを記憶することが可能となる。
【００３６】
また、記憶手段２を構成するｎ個のＲＡＭ３１，３２，…はｎ分周したクロックの周期でそれぞれが記憶している１バイトのデータを出力するが、セレクタ６はこれらｎ個のＲＡＭ３１，３２，…が出力するデータを分周前のクロックの周期で順次切り替えて選択するので、ｎ個のＲＡＭ３１，３２，…が１サイクルの間に出力するデータをセレクタ６は１サイクルの間に収集して、これをロジック部で使用するｎバイトのデータに復元することができる。
【００３７】
これらアクセス制御回路１およびインタフェース回路２の動作はより詳しくは図２に示すようになる。
即ち、エンコーダ本体２３ａからのアクセス要求を受け付けると、アクセス制御回路１はそのアドレスをデコードし（ステップＳ１参照）、これによりアクセスすべきＲＡＭを選択する（ステップＳ２参照）。このとき、ＲＡＭのアクセスが可能か否かを判定し（ステップＳ３参照）、可能でなければ、バッファ４によりデータのバッファリングを行って（ステップＳ５参照）、ステップＳ３に戻る。これ以外のケースではステップＳ６に進み、選択したＲＡＭにアクセスすべくセレクタ５または６の切り替えを行う。次いで、選択したＲＡＭに関するＩ／Ｏ処理を行い（ステップＳ７参照）、割り込み処理中であることが判明すれば（ステップＳ８参照）、割り込みを終了し（ステップＳ９参照）、ステップＳ３へ戻る。
【００３８】
割り込み処理中でなければ、連続アクセス継続中か否かを判定し（ステップＳ１０参照）、連続アクセス継続中であればステップＳ６に戻り、そうでなければ処理を終了する。
なお、この図２において、割り込み処理とは、連続アクセス中にランダムアクセスを割り込ませることを言う。
【００３９】
即ち、この実施の形態１では、パリティ生成のフェーズやパリティ書き込みのフェーズなど、各信号処理が時分割とは限らないシステムを想定しているので、ＲＡＭへの連続アクセス中にランダムアクセスが割り込むことも有り得る。このような割り込み処理および信号処理のフェーズの切り替え時に、アクセス制御回路１は、現在のフェーズと、現在のフェーズの進み具合と、アクセスするＲＡＭのアドレスとを参照して、バッファ４を使用するかどうかを決定する。また、ＣＤの規格上、信号処理のフェーズによってデータ量が決まっており、アクセス制御回路１が信号処理回路２２の状態を参照しデータ量を判定する。
【００４０】
例えば、ＲＡＭ１→ＲＡＭ２→ＲＡＭ１→ＲＡＭ２→…のような連続アクセス中に、ＲＡＭ２へのランダムアクセスが割り込んだ場合、連続アクセスのモードからランダムアクセスのモードに一時的に切り替えて、ＲＡＭ１→ＲＡＭ２→（ランダムアクセスにモード切り替え）→ＲＡＭ２→（連続アクセスにモード切り替え）→ＲＡＭ１→ＲＡＭ２→…のようにアクセスを行うが、ランダムアクセスへのモード切り替え時に、連続アクセスの一時中断処理と、ＲＡＭ１へのアクセスデータをバッファに退避させる処理とを行う。
【００４１】
あるいは、上述のような割り込みが発生した場合に、信号処理のフェーズから判断して割り込み処理が最優先ではなく、連続アクセスがあと数サイクルで終了する場合に、或るＲＡＭへのランダムアクセス処理を連続アクセスの終了時まで待たせるが、その際にこのＲＡＭへのアクセスデータをバッファ４で保持する。
【００４２】
このように、上記実施の形態１では、ＣＤ（コンパクトディスク）の記録・再生データの高速処理を行う際に、誤り訂正等の処理用のバッファとしてＲＡＭ（ランダムアクセスメモリ）を複数個用い、複数個のＲＡＭに対し交互にかつ特定容量分連続してアクセスするように制御を行うアクセス制御回路を備え、複数個のＲＡＭの入出力を統合して一つのＲＡＭであるかのように見せるインターフェース回路を備えるとともに記録可能なＣＤに書き込むべきデータをエンコードする際、パリティ生成やデータのスクランブルを行うためのバッファとして使用するＲＡＭとエンコーダとの間でデータをやりとりする際に、エンコーダの動作クロックと同期しかつこれをｎ分周したクロックで動作するＲＡＭをｎ個設け、ｎバイトのデータを１バイトずつ切り替えて各ＲＡＭに記憶させるようにしたので、ＲＡＭがエンコーダの動作周波数の１／ｎのクロックで動作でき、エンコーダを構成するロジック回路に較べ動作周波数を上げにくいＲＡＭを、ＲＡＭの入力の直前にデータやアドレスのバッファを設けることなくこれを記憶することが可能となり、これを搭載した光ディスク装置のデータ処理の高速化を実現できる。
【００４３】
また、システム設計時にＲＡＭの限界動作周波数を考慮する必要がなくなること、および、ＲＡＭ検査の低速化によるテストコスト削減等の二次的な効果も期待できる。
【００４４】
なお、ＲＡＭの個数ｎは２ないし４が好適な値であり、これを越える場合は各ＲＡＭの入力の直前にそのアドレスおよびデータを記憶するバッファを新設するか、既存のバッファ４をこの目的でも使用できるように工夫する必要がある。
【００４５】
また、上記実施の形態では、ＣＤ−ＲやＣＤ−ＲＷ等の記録可能な光ディスクに記録を行う光ディスク装置について示したが、光ディスクへの書き込みと読み出しとは互いに逆の操作であるので、再生専用の光ディスク装置や１台のドライブで光ディスクの記録，再生の両方が可能な光ディスク装置に適用してもよく、再生専用の装置とする場合は、図１中のエンコーダはデコーダとなり信号処理回路２２の機能は従来例の信号処理回路１０２と同様とすればよい。また、記録，再生の両方が可能な光ディスク装置に適用する場合は、これらの両方の機能を有するようにすればよい。
【００４６】
さらに、記録可能な光ディスクはＣＤ−ＲやＣＤ−ＲＷ等に限るものではなく、ＤＶＤ−ＲＡＭ，ＤＶＤ−Ｒ，ＤＶＤ−ＲＷ，ＤＶＤ＋Ｒ（登録商標），ＤＶＤ＋ＲＷ（登録商標）等の高密度記録が可能な光ディスク記録装置，光ディスク記録・再生装置に適用してもよい。また、光ディスク装置のみならず、磁気ディスク装置に適用してもよい。
【００４７】
【発明の効果】
以上のように、本発明の請求項１に係る光ディスク装置によれば、光ディスクに記録すべきデータのエンコード処理または光ディスクに記録されたデータのデコード処理の少なくとも一方のデータ処理を行う光ディスク装置において、前記少なくとも一方のデータ処理を行う際に当該データ処理の処理バッファとして使用する複数の記憶手段と、該複数の記憶手段を一つの記憶手段と見なせるように当該複数の記憶手段の入，出力データをそれぞれ統合する入出力インターフェース回路と、前記複数の記憶手段に交互にかつ特定容量分連続してデータをアクセスするように前記入出力インターフェース回路を制御するアクセス制御回路とを備えるようにしたので、ｎ個のＲＡＭを元の動作クロックに同期しかつこれをｎ分周したクロックで動作させることが可能となり、ＲＡＭの動作周波数が低いままでも、ＲＡＭ以外のロジック部の高速化を可能とし、ＲＡＭの動作周波数を低く抑えたままで高速データ処理を実現することが可能な光ディスク装置が得られる効果がある。
【００４８】
また、本発明の請求項２に係る光ディスク装置によれば、請求項１記載の光ディスク装置において、前記アクセス制御回路は、前記複数の記憶手段のうち、いずれか一つの記憶手段に連続してアクセスしないようにアクセス制御を行うようにしたので、元の動作クロックに同期しかつこれをｎ分周したクロックで動作する複数のＲＡＭにデータを振り分けることで、ＲＡＭの動作周波数が低いままでも、ＲＡＭにデータやアドレスのバッファを付加することなく高速データ処理を実現することが可能な光ディスク装置が得られる効果がある。
【００４９】
また、本発明の請求項３に係る光ディスク装置によれば、請求項１記載の光ディスク装置において、前記アクセス制御回路は、前記記憶手段にランダムアクセスを行うことを可能とするようにアクセス制御を行うようにしたので、パリティの書き込み時のようにランダムアクセスを行う必要がある場合に、別途ランダムアクセス用のアクセス制御回路を設けることなくこれに対応できる光ディスク装置が得られる効果がある。
【００５０】
また、本発明の請求項４に係る光ディスク装置によれば、請求項１記載の光ディスク装置において、前記の複数個の記憶手段は、当該記憶手段の入，出力データを処理する回路の動作クロックを分周した分周クロックで動作するようにしたので、この分周クロックを元のクロックと同期したものとすることで、ＲＡＭの動作周波数をなるべく低く抑えつつ、高速データ処理を実現することが可能な光ディスク装置が得られる効果がある。
【図面の簡単な説明】
【図１】本発明の実施の形態１による光ディスク装置の概略構成図
【図２】本発明の実施の形態１による光ディスク装置のアクセス制御回路１およびインタフェース回路２の動作を表すフローチャートを示す図
【図３】従来のＣＤ−ＲＯＭシステムの構成を示すブロック図
【符号の説明】
１  アクセス制御回路
２  インターフェース回路
３  記憶手段
４  データバッファ
５  記憶手段への入力信号用セレクタ
６  記憶手段からの出力信号用セレクタ
７  インターフェース回路への入力とデータバッファ出力とのセレクタ
８  入力側データバス
９  出力側データバス
１０  ＲＡＭ１ＲＡＭ用入力データバス
１１  ＲＡＭ１用出力データバス
１２  ＲＡＭ２用入力データバス
１３  ＲＡＭ２用出力データバス
２３  エンコーダ
２３ａ  エンコーダ本体
３１  ＲＡＭ１
３２  ＲＡＭ２
【図１】
2004335016.tif 000003
【図２】
2004335016.tif 000004
【図３】
2004335016.tif 000005